(57)【要約】【課題】遊技媒体を遊技機に設置された貯留部から、運搬可能な箱体へ移す際に、箱体内へ分散させることで、箱体の一部への集中を回避し、箱体の容量制限以前に溢れ出すことを防止することができ、箱体の容量を有効利用する。【解決手段】球受け皿２８に貯留されたパチンコ球をドル箱３４へ案内する球抜き通路の排出口である開口部４２に分散ホルダー５０を装着し、この分散ホルダー５０の分散部材６０によって、密集して落下してくるパチンコ球を３６０°に亘って分散するようにしたため、ドル箱３４内には、パチンコ球が特定の領域に集中して落下するようなことがなく、山積みとなってドル箱３４の容量に達する前に溢れ出すようなことがない。また、分散ホルダー５０を開口部４２に対して着脱可能としたため、既存のパチンコ機１０にも即適用可能であり、設計仕様の変更等を考慮する必要がない。【選択図】        図２
2004248869.tif 000002
【特許請求の範囲】
【請求項１】
遊技媒体を用いて遊技が進行する遊技機において、遊技状態に応じて遊技者が受ける遊技媒体を貯留する貯留部から回収路を介して、運搬移動可能な箱体へ案内するための遊技媒体案内構造であって、
前記貯留部と前記回収路の一端開口との境界部分に設けられ、通常は閉止状態とされ、開放時に当該貯留部に貯留された遊技媒体を回収路へ送り出す開閉蓋と、
前記回収路の他端開口に設けられ、前記開閉蓋の開放中に前記回収路内を密状態で流動してくる遊技媒体を分散して前記箱体へ案内する分散手段と、
を有する遊技機の遊技媒体案内構造。
【請求項２】
前記分散手段が、前記回収路の他端開口に固定配置され、前記回収路内を密状態で流動してくる遊技媒体に当接し、当該当接の際の当接位置、当接入射角、当接速度の少なくとも１つの違いに応じてランダムに跳ね返すことが可能な表面形状を持つ固形の分散部材であることを特徴とする請求項１記載の遊技機の遊技媒体案内構造。
【請求項３】
前記分散部材が、弾性力を有するブラケットを介して前記回収路の他端開口を実質的に拡大する末広がりとされたホルダー部に支持されており、当該ホルダー部は、前記回収路の他端開口に対して着脱可能とされていることを特徴とする請求項２記載の遊技機の遊技媒体案内構造。
【請求項４】
前記分散部材が円錐形で、その頂点近傍が前記ブラケットの一端の取り付けられ、吊り下げ状態で揺動可能に支持されることを特徴とする請求項３記載の遊技機の遊技媒体案内構造。
【請求項５】
密集して落下してくる遊技媒体に当接する位置に設けられ、当該遊技媒体が当接する面が錐形状とされ、前記遊技媒体の少なくとも当接位置、当接入射角、当接速度の１つの違いに応じて、ランダムな方向に跳ね返すことで、前記遊技媒体を分散させる遊技媒体用分散部材。
【発明の詳細な説明】
【０００１】
【発明の属する技術分野】
本発明は、遊技媒体を用いて遊技が進行する遊技機において、遊技状態に応じて遊技者が受ける遊技媒体を貯留する貯留部から回収路を介して、運搬移動可能な箱体へ案内するための遊技媒体案内構造及び遊技媒体用分散部材に関するものである。
【０００２】
【従来の技術】
従来より、遊技機、特にパチンコ機では、賞球として払い出されたパチンコ球は、遊技盤の下部に設けられた受け皿に貯留され、この受け皿に貯留されたパチンコ球を自動的に発射装置の発射位置へ送り込むようになっている。
【０００３】
また、遊技者は多量の賞球があると、この受け皿に貯留されているパチンコ球を所謂ドル箱と称される運搬可能な箱体にパチンコ球を移すべく、球抜き操作部を操作し、受け皿に貯留されたパチンコ球の球抜きを行う。
【０００４】
玉抜き操作部は、受け皿の底面に設けられた回収路の一端開口に設けられた開閉部材と連動している。開閉部材が開放することで、パチンコ球は所定の回収路に流入する。回収路の他端開口部は、パチンコ機の下方から遊技者側に突出しているテーブルに向けられており、このテーブル台載置したドル箱へと落下する。
【０００５】
ここで、回収路の他端開口の寸法は、数個のパチンコ球が一度に落下する程度であるため、ドル箱の特定の狭い領域に向けて落下するため、その領域を中心にパチンコ球の山が形成されてしまい、ドル箱が満杯になる前に、溢れ出す可能性がある。
【０００６】
このため、特許文献１では、回収路の他端開口を複数個設け、パチンコ球を排出する他端開口を変更することが記載されている。
【０００７】
これによれば、形成される山を分散することができるため、ドル箱が満杯になる前に溢れ出ることが抑制される。
【０００８】
ところが、このような構造では、ドル箱に形成されるパチンコ球の山が増えるだでけであり、暫定的にはパチンコ球が溢れる時期を遅らせることができるが、恒久的にパチンコ球の満杯以前の溢れ出しを防止する構造にはなっていない。
【０００９】
これを解消するため、ドル箱側の底面にスロープ等を形成し、パチンコ球が狭い領域に集中しないようにすることが提案されている（特許文献２参照）。
【００１０】
【特許文献１】
特開２００２−２７３００６公報
【特許文献２】
特開２００２−９２７公報
【００１１】
【発明が解決しようとする課題】
しかしながら、特許文献２のドル箱構造は、所謂上げ底構造であるため、その分パチンコ球の収容能力の低下につながる。また、特許文献２では、ドル箱の底面の対角線の交点を基本的に最高位としてるため、落下地点がこの最高位点からずれると、ドル箱の一方に偏って貯留されることになり、山が形成されるよりも悪い結果になり得る可能性がある。
【００１２】
本発明は上記事実を考慮し、遊技媒体を遊技機に設置された貯留部から、運搬可能な箱体へ移す際に、箱体内へ分散させることで、箱体の一部への集中を回避し、箱体の容量制限以前に溢れ出すことを防止することができ、箱体の容量を有効利用することができる遊技機の遊技媒体案内構造及び遊技媒体用分散部材を得ることが目的である。
【００１３】
【課題を解決するための手段】
請求項１に記載の発明は、遊技媒体を用いて遊技が進行する遊技機において、遊技状態に応じて遊技者が受ける遊技媒体を貯留する貯留部から回収路を介して、運搬移動可能な箱体へ案内するための遊技媒体案内構造であって、前記貯留部と前記回収路の一端開口との境界部分に設けられ、通常は閉止状態とされ、開放時に当該貯留部に貯留された遊技媒体を回収路へ送り出す開閉蓋と、前記回収路の他端開口に設けられ、前記開閉蓋の開放中に前記回収路内を密状態で流動してくる遊技媒体を分散して前記箱体へ案内する分散手段と、を有している。
【００１４】
請求項１記載の発明によれば、開閉蓋が開口すると、貯留部に貯留された遊技媒体が回収路の一端開口から流入し、他端開口へと案内される。
【００１５】
他端開口には、分散手段が設けられており、回収路内で密集した遊技媒体がこの分散手段によって分散された状態で箱体へを案内される。このため、箱体内の特定の領域に遊技媒体が集中することがなく、箱体の平面に対して平均的に積み上げられるため、箱体内が満杯になる前に、遊技媒体が溢れ出ることがない。
【００１６】
請求項２に記載の発明は、前記請求項１に記載の発明において、前記分散手段が、前記回収路の他端開口に固定配置され、前記回収路内を密状態で流動してくる遊技媒体に当接し、当該当接の際の当接位置、当接入射角、当接速度の少なくとも１つの違いに応じてランダムに跳ね返すことが可能な表面形状を持つ固形の分散部材であることを特徴としている。
【００１７】
請求項２に記載の発明によれば、分散手段が分散部材であり、遊技媒体が当接する際、その当接位置、当接入射角、当接速度の少なくとも何れかが異なると、跳ね返り方向が異なる。これにより、密集して分散手段に当接しても、遊技媒体はそれぞれがばらけた状態で箱体へ案内される。
【００１８】
請求項３に記載の発明は、前記分散部材が、弾性力を有するブラケットを介して前記回収路の他端開口を実質的に拡大する末広がりとされたホルダー部に支持されており、当該ホルダー部は、前記回収路の他端開口に対して着脱可能とされていることを特徴としている。
【００１９】
請求項３に記載の発明によれば、回収路の他端開口に対して着脱可能なホルダー部に前記分散部材が設けられている。このため、既存の遊技機の回収路の他端開口への装着が可能である。また、ホルダー部が分散部材による跳ね返りを制限する役目を有しているため、必要以上に跳ねて箱体へ回収されなくなるような不具合がない。
【００２０】
請求項４に記載の発明は、前記請求項３に記載の発明において、前記分散部材が錐形状で、その頂点近傍が前記ブラケットの一端の取り付けられ、吊り下げ状態で揺動可能に支持されることを特徴としている。
【００２１】
請求項４に記載の発明によれば、分散部材が揺動することで、遊技媒体の通過空間が変化するため、遊技媒体同士が噛み合って、詰まりを起こすことを防止することができる。
【００２２】
請求項５に記載の発明は、密集して落下してくる遊技媒体に当接する位置に設けられ、当該遊技媒体が当接する面が錐形状とされ、前記遊技媒体の少なくとも当接位置、当接入射角、当接速度の１つの違いに応じて、ランダムな方向に跳ね返すことで、前記遊技媒体を分散させることを特徴とする。
【００２３】
請求項５に記載の発明によれば、遊技媒体が当接する際、その当接位置、当接入射角、当接速度の少なくとも何れかが異なると、跳ね返り方向が異なる。これにより、密集して分散部材に当接しても、遊技媒体をこの分散部材の下流側ではそれぞれがばらけた状態で案内することができる。
【００２４】
【発明の実施の形態】
図１には、本実施形態に係るパチンコ機がパチンコホールの所謂「島」に設置された状態が示されている。
【００２５】
図１に示すように、パチンコホールの島では、パチンコ機１０の下方に遊技者側に突出したテーブルが設けられており、必要に応じてドル箱３４を載置することができるようになっている。
【００２６】
パチンコ機１０は、内部に遊技盤１４を収容できるパチンコ機本体１６を備えている。
【００２７】
遊技者側となるパチンコ機本体１６の前面部分には、遊技盤１４の盤面をガラス板２０で覆うガラス枠を構成する上側パネル部材２２と、遊技盤１４の下方部分を覆う一体皿を構成する下側パネル部材２４とが設けられている。この上側パネル部材２２及び下側パネル部材２４は、パチンコ機本体１６の左端部に設けられたヒンジ２６（下側パネル部材２４のヒンジは図示省略）に軸支されて、開閉可能に取り付けられている。
【００２８】
下側パネル部材２４の前面略中央には、遊技者側に向けて突出された打球供給用の球受け皿２８が設けられている。球受け皿２８の底面２８Ａは、手前側から奥側に向けて反時計回りの螺旋状に下降傾斜しており、下降側の先端部となる左奥側には誘導通路２９が設けられている。また、球受け皿２８の奥壁２８Ｂ略中央には、透明樹脂製のカバーにより塞がれて内部を透視することができる横長略矩形状の窓部３０が設けられており、奥壁２８Ｂの右側端部近傍には、パチンコ機本体１６内の賞球払出装置（図示省略）から払い出されたパチンコ球が排出される排出口３１が形成されている。
【００２９】
これにより、球受け皿２８に、当該パチンコ機１０に隣接して配置された球貸サンド１２から貸し出された貸球と排出口３１から排出された賞球とは、底面２８Ａの下流側に転動して誘導通路２９に案内され、誘導通路２９により一列に整列されて、図示しない発射装置へと供給される。
【００３０】
球受け皿２８の内部には、遊技球を球受け皿２８からドル箱３４へ移すための回収路である球抜き通路３５、３６が形成されている。通常、この球抜き通路３５、３６は、球受け皿２８の底面２８Ａと連通する通路入り口としての開口部が開閉蓋３７（球抜き通路３５側の蓋部材は図示省略）によって塞がれており、遊技者が球受け皿２８前面の球抜きボタン３９（球抜き通路３５側は球抜きレバー３８）を操作することにより、各蓋部材がそれぞれスライドして各通路入り口が開口される。これにより、球受け皿２８内の遊技球が球抜き通路３５、３６を通って排出され球受け皿２８の下面に形成された通路出口である開口部４２からドル箱３４へと移される。
【００３１】
また、下側パネル部材２４の前面には、球受け皿２８の右側に、遊技球の発射力（飛距離）を調整する発射ハンドル４０が配置され、球受け皿２８の左側に、灰皿４１が設けられている。
【００３２】
前記球抜き通路３５は、発射装置へ送るべく、１列に配列した後のパチンコ球を回収するためのものであり、回収時の単位流量が少ない。
【００３３】
一方、前記球抜き通路３６は、比較的開口面積が大きく、球受け皿２８内のパチンコ球を密集してドル箱３４へと案内するため、単位流量は多い。
【００３４】
このとき、通路出口である開口部４２からは大量のパチンコ球がドル箱３４の特定の狭い領域に集中して排出されることになる。
【００３５】
ここで、本実施の形態では、図２に示される如く、当該開口部４２に分散ホルダー５０を取り付けている。
【００３６】
図２乃至図５には、分散ホルダー５０の詳細構造が示されている。
【００３７】
前記通路出口である開口部４２は矩形状となっており、この矩形の開口部４２の周縁には、四角錐台形状のホルダー部５２が取り付けられている。ホルダー部５２は中空構造であり、上端面には、ノックピン５４が形成されている。このノックピン５４に対応して、前記開口部４２の周縁には、嵌合孔５６が形成されている。
【００３８】
このため、ノックピン５４がこの嵌合孔５６に嵌入されることで、ホルダー部５２は開口部４２の周縁に固定される。
【００３９】
ホルダー部５２が固定された状態では、前記開口部４２の四辺からそれぞれ末広がり状に延設されることになり、実質的に開口部４２の開口面積が拡大される。
【００４０】
ホルダー部５２の上端開口には、各辺の中央から対角線の交点に向けて４本のブラケット５８が突出されている。この対角線の交点を中心とする所定の半径の領域には、分散部材６０が配設されている。
【００４１】
この分散部材６０は、略円錐形状（円錐台形状）であり、前記４本のブラケット５８は、それぞれこの分散部材６０の頂点近傍に固定されている。これにより、分散部材６０は、吊り下げ状態でホルダー部５２に支持されることになる。
【００４２】
ここで、前記ブラケット５８は弾性力を有しており、分散部材６０は揺動可能に吊り下げられる。なお、ブラケット５８自体に弾性力を持たせなくても、取り付けジョイント部にゴム等のブッシュを介在させるようにしてもよい。
【００４３】
分散部材６０は、その底面がほぼホルダー部５２の下端部開口面と面一となっており、このホルダー部５２と分散部材６０との間にパチンコ球が通過可能な空間が形成される。
【００４４】
また、分散部材６０の中心部には、上端から下端にかけて円形の貫通孔６２が設けられており、この貫通孔６２もパチンコ球の通過空間として機能する。
【００４５】
上記分散ホルダー５０が取り付けられた状態で、球抜きボタン３９を操作して前記球受け皿２８の開閉蓋３７を開放すると、球受け皿２８に貯留されたパチンコ球が一気に球抜き通路３６を流動し、球受け皿２８の下端面の開口部４２へと案内される。この場合、球抜き通路３６内では、パチンコ球が密集しているが、それぞれが分散ホルダー５０の分散部材６０の異なる箇所に当接するため、その当接位置に応じて落下方向が分散される（図６参照）。
【００４６】
また、本実施の形態では、分散部材６０が略円錐形状であるため、３６０°に亘り平均的に分散され、また、当接時の入射角や当接速度によっても、すぐに落下するパチンコ球から、遅れて落下するパチンコ球まで時間的なずれ（タイミングのずれ）も発生する。
【００４７】
このため、ドル箱３４に貯留されるパチンコ球は、ドル箱あの底面の面積に対して均一にばら撒かれ、一部に集中して山のように積み重なることが回避される。
【００４８】
以下に本実施の形態の作用を説明する。
【００４９】
遊技者が遊技を開始する場合、まず、球受け皿２８にパチンコ球を貯留する。この球受け皿２８内のパチンコ球は１列に配列され、発射装置へと送り出される。
【００５０】
遊技者が発射ハンドル４０を操作すると、ハンドル操作量に応じてパチンコ球が１個単位で遊技盤１４上に発射される。
【００５１】
遊技盤１４上では、所定の遊技が進行し、所定の入賞口への入賞等、遊技者に有利な遊技状態となると、予め設定された単位量のパチンコ球が賞球として払い出される。払い出されるパチンコ球は球受け皿２８へ貯留される。
【００５２】
遊技者が遊技を継続する場合、発射装置による発射数と賞球払出数とのバランスがとれていると、球受け皿２８内のパチンコ球の増減はないが、賞球払出数が多い場合には、貯留されるパチンコ球が増加する。
【００５３】
球受け皿２８の貯留数には限度があるため、上記のような貯留数の増加が一定値を超えると、遊技者は球抜きボタン３９を操作して、球受け皿２８内のパチンコ球をドル箱へと移す。
【００５４】
すなわち、球抜きボタン３９が操作されると、開閉蓋３７が開放し、球受け皿２８内のパチンコ球は、球抜き通路３６に流入し、球受け皿２８の下端面の開口部４２から排出される。
【００５５】
このとき、従来は、多量のパチンコ球がこの開口部４２から密集して排出されるため、ドル箱３４の特定の狭い領域に集中して排出され、その部分にパチンコ球が山積みされ、ドル箱３４の容量に達する前に、溢れ出てしまうことがあった（図７参照）。
【００５６】
しかし、本実施の形態では、上記開口部４２に対して分散ホルダー５０を装着した。
【００５７】
この分散ホルダー５０の装着により、ホルダー部５２が四角錐形状によって、実質的に開口面積が拡大される。
【００５８】
また、ホルダー部５２の中空部には、吊り下げ状態で円錐形状の分散部材６０を配置した。このため、密集して落下してくるパチンコ球のほとんどは、この分散部材６０の周面に当接することになる。
【００５９】
この場合、パチンコ球が当接する位置に応じて、３６０°に亘り分散し、当該分散部材６０と、ホルダー部５２との間の空間を通りドル箱３４へと落下する。また、このとき、パチンコ球の分散部材６０への当接入射角や当接速度によって、落下するタイミングがずれるため、ドル箱３４へ落下するパチンコ球の密集密度が低くなり、特定の領域に集中して山積みになるようなことが回避できる（図６参照）。
【００６０】
ここで、分散部材６０とホルダー部５２との間の空間にパチンコ球が噛み合って、球詰まりを起こす可能性があるが、本実施の形態では、ブラケット５８を弾性部材としたため、分散部材６０が振り子の如く揺動するため、上記空間の寸法が変化し、球詰まりが起きてもすぐに分散部材６０が揺動して、この球詰まりを解消することができる。
【００６１】
なお、この分散時の跳ね返りが大きいと、ドル箱３４への収容範囲を越える場合がある。そこで、本実施の形態では、ホルダー部５２によって、大きく跳ねたパチンコ球を制限するようにしたため、ドル箱３４を越えて跳ねるパチンコ球を抑止することができる。
【００６２】
以上説明した如く本実施の形態によれば、球受け皿２８に貯留されたパチンコ球をドル箱３４へ案内する球抜き通路の排出口である開口部４２に分散ホルダー５０を装着し、この分散ホルダー５０の分散部材６０によって、密集して落下してくるパチンコ球を３６０°に亘って分散するようにしたため、ドル箱３４内には、パチンコ球が特定の領域に集中して落下するようなことがなく、山積みとなってドル箱３４の容量に達する前に溢れ出すようなことがない。
【００６３】
また、分散ホルダー５０を開口部４２に対して着脱可能としたため、既存のパチンコ機１０にも即適用可能であり、設計仕様の変更等を考慮する必要がない。
【００６４】
さらに、分散部材６０とホルダー部５２との間の空間の他、分散部材６０の中央部にも貫通孔６２を設け、ダイレクトにドル箱３４へ落下する要素も併せ持っているため、球抜き通路４６内の流量とほとんど変わらない流量を確保することができ、球抜き通路３６内でパチンコ球が滞留するようなことはない。
【００６５】
なお、本実施の形態では、分散ホルダー５０の分散部材６０を円錐形状としたが、この円錐形状の周面に突起や凹陥部、凹凸部、筋状態のリブ等を形成し、パチンコ球の跳ね返りをさらにランダムとしてもよい。
【００６６】
また、分散部材６０の形状は円錐形状に限らず、三角錐、四角錐等の他の錐形状であってもよいし、球体（半球体）であってもよい。
【００６７】
さらに、本実施の形態では、遊技媒体としてパチンコ球を例にとったが、パチスロ機で適用されるメダル等、他の遊技媒体の排出時の案内にも適用可能である。
【００６８】
【発明の効果】
以上説明した如く本発明では、遊技媒体を遊技機に設置された貯留部から、運搬可能な箱体へ移す際に、箱体内へ分散させることで、箱体の一部への集中を回避し、箱体の容量制限以前に溢れ出すことを防止することができ、箱体の容量を有効利用することができるという優れた効果を有する。
【図面の簡単な説明】
【図１】本実施の形態に係るパチンコ機の斜視図である。
【図２】本実施の形態に係る分散ホルダーの斜視図である。
【図３】図２の分散ホルダーの視点を変えた斜視図である。
【図４】本実施の形態に係る分散ホルダーの正面断面図である。
【図５】図４のＶ−Ｖ線断面図である。
【図６】本実施の形態に係る分散ホルダーを用いたときのパチンコ球の落下の状態を示す正面図である。
【図７】従来（分散ホルダー未装着）に係るパチンコ球の落下の状態を示す正面図である。
【符号の説明】
１０    パチンコ機（遊技機）
１４    遊技盤
２８    球受け皿（貯留部）
２８Ａ  底面
３４    ドル箱（箱体）
３６    球抜き通路（回収路）
３７    開閉蓋
３９    球抜きボタン
４２    開口部（他端開口）
４０    発射ハンドル
４２    開口部
５０    分散ホルダー（分散手段）
５２    ホルダー部
５４    ノックピン
５６    嵌合孔
５８    ブラケット
６０    分散部材
６２    貫通孔
【図１】
2004248869.tif 000003
【図２】
2004248869.tif 000004
【図３】
2004248869.tif 000005
【図４】
2004248869.tif 000006
【図５】
2004248869.tif 000007
【図６】
2004248869.tif 000008
【図７】
2004248869.tif 000009